(57)【要約】  通風性を大きく向上すると共に保護機能を充分に維持することができるように、着用者の股ぐら前方を被う前面部と後方を被う後面部とからなり、前面部及び/又は後面部には、一つ以上の通風孔が形成される本体と、本体の上側に設置され、着用者の腰の部分に密着着用して落ちないように支持する腰バンドと、前記本体の底面（股ぐら）側に設置され、網形状に形成される通気パッドとを含む通風機能下着を提供する。【選択図】    図５
2008530383.tif 000002
【特許請求の範囲】
【請求項１】
着用者の股ぐら前方を被う前面部と後方を被う後面部とからなる本体と、
前記本体の上側に設置され、着用者の腰の部分に密着着用して落ちないように支持する腰バンドと、
前記本体の内面に設置され、網形状に形成される網部材とを含む通風機能下着。
【請求項２】
着用者の股ぐら前方を被う前面部と後方を被う後面部とからなる本体と、
前記本体の上側に設置され、着用者の腰の部分に密着着用して落ちないように支持する腰バンドと、
２〜１０ｍｍの幅で形成される枠組部と、前記枠組部の内部に網形状に形成される通気部とからなり、前記本体の底面側に設けられる通気パッドを含む通風機能下着。
【請求項３】
着用者の股ぐら前方を被う前面部と後方を被う後面部とからなる本体と、
前記本体の上側に設置され、着用者の腰の部分に密着着用して落ちないように支持する腰バンドと、
前記本体の前面部内面に陰嚢や陰茎を掛けられるように、横に１段又は複数の段に設置する分離支持紐とを含む通風機能下着。
【請求項４】
前記分離支持紐を前記本体内面に脱付着できるように設置する、請求項３に記載の通風機能下着。
【請求項５】
着用者の股ぐら前方を被う前面部と後方を被う後面部とからなる本体と、
前記本体の上側に設置され、着用者の腰の部分に密着着用して落ちないように支持する腰バンドと、
前記本体の前面部内面に陰嚢や陰茎を掛けられるように、二列を一対にして縦に設置してなる分離支持紐とを含む通風機能下着。
【請求項６】
前記分離支持紐には間隔調節帯が付着される、請求項５に記載の通風機能下着。
【請求項７】
前記分離支持紐を前記本体内面に脱付着できるように設置する、請求項５に記載の通風機能下着。
【請求項８】
前記分離支持紐は弾性を有する材質で形成され、中央部分が螺旋形状に形成されて、前記本体の内面側で“Ｘ”形状に交差して、陰嚢と陰茎を分離して支持できる構造に形成される、請求項５に記載の通風機能下着。
【請求項９】
前記本体には一つ以上の通風孔が形成される、請求項１乃至８のうちのいずれか一つに記載の通風機能下着。
【請求項１０】
使用者の陰茎と陰嚢を分離して支持できるように、網形状の網部材を前記本体の前面部の内面側に設置し、
前記網部材は、陰茎が挿入される分離孔が形成される固定網と、上方が開放されるようにポケット形状に角部が固定される陰嚢分離網とからなる、請求項１乃至８のうちのいずれか一つに記載の通風機能下着。
【請求項１１】
前記固定網と陰嚢分離網を、ベルクロファスナー、ボタン、スナップボタンの中で選択して、前記本体の前面部に分離可能であるように設置する、請求項１０に記載の通風機能下着。
【請求項１２】
前記本体の前面部と後面部を網形状に形成する、請求項１乃至８のうちのいずれか一つに記載の通風機能下着。
【請求項１３】
前記本体の前面部と後面部の一部を網形状に形成する、請求項１乃至８のうちのいずれか一つに記載の通風機能下着。
【請求項１４】
前記本体の前面、後面、側面の中で一側面以上に通気パッドを設置し、
前記通気パッドは、２〜１０ｍｍの幅で形成される枠組部と、前記枠組部の内部に網形状に形成される通気部とからなる、請求項１乃至８のうちのいずれか一つに記載の通風機能下着。
【請求項１５】
前記通気パッドは、２〜１０ｍｍの幅で形成される枠組部のみでなり、その内部は空の空間で形成される、請求項１４に記載の通風機能下着。
【請求項１６】
前記本体の前面部又は後面部は、幅の狭いバンド形状に形成される、請求項１乃至８のうちのいずれか一つに記載の通風機能下着。
【請求項１７】
前記本体の前面部の内面に陰嚢や陰茎を掛けられるように、横に１段又は複数の段に設置する分離支持紐をさらに含む、請求項１又は２に記載の通風機能下着。
【請求項１８】
前記分離支持紐は、前記網部材を陰嚢、陰茎を掛けられるように、横に１段又は複数の段に設置して形成する、請求項１７に記載の通風機能下着。
【請求項１９】
前記本体の前面部の内面に陰嚢や陰茎を掛けられるように、二列を一対にして縦に設置してなる分離支持紐をさらに含む、請求項１又は２に記載の通風機能下着。
【請求項２０】
前記分離支持紐には間隔調節帯が付着される、請求項１９に記載の通風機能下着。
【請求項２１】
前記分離支持紐は弾性を有する材質で形成され、中央部分が螺旋形状に形成されて、前記本体の内面側で“Ｘ”形状に交差して、陰嚢と陰茎を分離して支持できる構造に形成される、請求項１９に記載の通風機能下着。
【請求項２２】
前記通気パッドは、２〜１０ｍｍの幅で形成される枠組部のみでなり、その内部は空の空間で形成される、請求項２に記載の通風機能下着。
【請求項２３】
着用者の前方を被う前面部と後方を被う後面部とからなる本体と、
前記本体の上側に設置され、着用者の腰の部分に密着着用して落ちないように支持する腰バンドとからなる下着において、
２〜１０ｍｍの幅で形成される枠組部と、前記枠組部の内部に網形状に形成される通気部とからなる通気パッドを、前記本体の前面、後面、側面、底面の中で選択した一側面以上に設置する通風機能下着。
【請求項２４】
着用者の前方を被う前面部と後方を被う後面部とからなる本体と、
前記本体の上側に設置され、着用者の腰の部分に密着着用して落ちないように支持する腰バンドとからなる下着において、
２〜１０ｍｍの幅で形成される枠組部と、前記枠組部のその内部は空の空間で形成される通気パッドを、前記本体の前面、後面、側面、底面の中で選択した一側面以上に設置する通風機能下着。
【発明の詳細な説明】
【技術分野】
【０００１】
（ａ）発明の分野
本発明は通風機能下着に係り、より詳しくは、通風孔を形成し、底面側に通気パッドを設置したり分離支持紐を設置して、内部への通気及び通風が効率的に行われて湿気を効果的に除去でき、健康維持に有利であり、清々しく快適な着用感を有することができる通風機能下着に関するものである。
【０００２】
（ｂ）関連技術の説明
一般的に、下着とは、皮膚と直接接触しながら衣服の下で着る服として、パンティーとガードル、ランジェリー、オールインワンなどがあり、大部分体にフィットした大きさで製作されるので、通風性が劣るといえる。
【０００３】
人間の場合、男性や女性全てが股ぐら部位（陰毛、陰部、陰茎、陰嚢、肛門などのある部位）は、二つの股の間で皮膚が互いに重なった状態で継続して生活が行われる部分であるため、汗のために暑くて湿っぽい状態になり、細菌やカビなどの繁殖に良い環境となるため、湿疹などの皮膚病や婦人科疾病が発病する恐れがある。
【０００４】
ところが、従来の下着の場合は通風性が劣るため、皮膚病や婦人科疾病が発病する可能性がさらに増大する。
【発明の概要】
【０００５】
【技術的課題】
【０００６】
本発明の目的はこのような問題点を解決するためのものであって、本体の底面（股ぐら）側に網形状の通気パッドを設置することによって、全体的な通風性を大きく向上させた通風機能下着を提供する。
【０００７】
本発明の他の目的は、本体の前面部の内面側に陰嚢と陰茎を分離して支持するように分離支持紐を設置することによって、皮膚の密着した接触を防止して通風性を大きく向上させた通風機能下着を提供することにある。
【０００８】
本発明のまた他の目的は、本体の前面、後面、側面、底面中の少なくとも一側面に通風孔を形成して、全体的な通風性を大きく向上させた通風機能下着を提供することにある。
【技術的手段】
【０００９】
本発明が提案する通風機能下着は、着用者の股ぐら前方を被う前面部と後方を被う後面部とからなる本体と、本体の上側に設置され、着用者の腰の部分に密着着用して落ちないように支持する腰バンドと、前記本体の底面（股ぐら）側に設置され、網形状に形成される通気パッドとを含んで構成される。
【００１０】
また、本発明の通風機能下着は、弾性を有する材質で形成され、陰嚢と陰茎を分離して支持できる構造に形成される分離支持紐をさらに含むことも可能である。
【００１１】
そして、本発明の通風機能下着は、本体の前面、後面、側面、底面の中で少なくとも一側面には一つ以上の通風孔を形成する。
【００１２】
本発明の通風機能下着は、本体の内面に網形状の網部材を設置したり本体を網形状に形成する。
【図面の簡単な説明】
【００１３】
【図１】本発明による通風機能下着の第１実施例を示す斜視図である。
【図２】本発明による通風機能下着の第１実施例を示す分解斜視図である。
【図３】本発明による通風機能下着の第２実施例を示す斜視図である。
【図４】本発明による通風機能下着の第３実施例を示す斜視図である。
【図５】本発明による通風機能下着の第４実施例を示す斜視図である。
【図６】本発明による通風機能下着の第４実施例における通気パッドを示す平面図である。
【図７】本発明による通風機能下着の第４実施例における通気パッドの他の実施例を示す平面図である。
【図８】本発明による通風機能下着の第４実施例における通気パッドの他の実施例を示す平面図である。
【図９】本発明による通風機能下着の第５実施例を示す斜視図である。
【図１０】本発明による通風機能下着の第６実施例を示す斜視図である。
【図１１】本発明による通風機能下着の第７実施例を示す斜視図である。
【図１２】本発明による通風機能下着の第８実施例を示す斜視図である。
【図１３】本発明による通風機能下着の第９実施例を示す正面図である。
【図１４】本発明による通風機能下着の第１０実施例を示す斜視図である。
【図１５】本発明による通風機能下着の第１１実施例を示す斜視図である。
【図１６】本発明による通風機能下着の第１２実施例を示す斜視図である。
【図１７】本発明による通風機能下着の第１２実施例において、本体の前面部を内面側から見た側面図である。
【図１８】本発明による通風機能下着の第１２実施例において、分離支持紐の他の例を示す図１７に対応する側面図である。
【図１９】本発明による通風機能下着の第１３実施例を示す斜視図である。
【図２０】本発明による通風機能下着の第１３実施例において、本体の前面部を内面側から見た側面図である。
【図２１】本発明による通風機能下着の第１４実施例を示す斜視図である。
【図２２】本発明による通風機能下着の第１５実施例を示す斜視図である。
【図２３】本発明による通風機能下着の第１６実施例を示す斜視図である。
【図２４】本発明による通風機能下着の第１７実施例を示す斜視図である。
【図２５】本発明による通風機能下着の第１８実施例を示す斜視図である。
【図２６】本発明による通風機能下着の第１９実施例を示す背面分解斜視図である。
【図２７】本発明による通風機能下着の第１９実施例を示す背面組立斜視図である。
【図２８】本発明による通風機能下着の第１９実施例を示す背面分解斜視図である。
【図２９】本発明による通風機能下着の第１９実施例を示す背面組立斜視図である。
【符号の説明】
【００１４】
１０  本体
１１  腰孔
１２  前面部
１３  脚孔
１４  後面部
１５  小便孔間隔調節帯
１６、７８  通風孔
２０  腰バンド
２９  ボタン
５０、５６  分離支持紐
５１  間隔調節帯
６０  間隔維持部材
７０、７７  通気パッド
７２  枠組部
７４  通気部
７６  突起
９０、９２、９４、９５  網部材
９６  陰嚢分離網
９７  固定網
９８  分離孔
９９  かけひも
【好ましい実施例の詳細な説明】
【００１５】
次に、本発明による通風機能下着の望ましい実施例を、添付した図面を参照して詳細に説明する。
【００１６】
まず、本発明による通風機能下着の第１実施例は、図１及び図２に示したように、着用者の股ぐら前方を被う前面部１２と後方を被う後面部１４とからなる本体１０と、前記本体１０の上側に設置され、着用者の腰の部分に密着着用して落ちないように支持する腰バンド２０と、前記本体１０の内面に設置され、網形状に形成される網部材９０とを含んで構成される。
【００１７】
前記本体１０は、図１に示したように四角形状に形成することも可能であり、図３に示したように三角形状に形成することも可能である。
【００１８】
前記本体１０の前面部１２は、男性の陰茎と陰嚢、女性の陰部などを被うと共に保護する機能を遂行し、後面部１４は、肛門を被うと共に保護する機能を遂行する。
【００１９】
前記本体１０には、前面部１２と後面部１４との間に、上側で着用者の腰が挿入される腰孔１１が形成され、下側に着用者の両側脚が各々挿入される一対の脚孔１３が形成される。
【００２０】
前記本体１０の前面部１２には、男性用の場合、小便の時に陰茎を容易に取り出せるように小便孔を形成することも可能である。
前記本体１０の腰孔１１の角部には、ゴムなどの弾性材質で形成される前記腰バンド２０が設けられる。
【００２１】
前記網部材９０は、網や麻布などのすじが粗く製織された布を使用したり、シリコンや軟質合成樹脂、革ひもなどで、網形状に形成して、使用する。
【００２２】
また、前記網部材９０を、シリコンや軟質合成樹脂などを網形状に形成して使用する場合には、網や麻布などの布をさらに付着設置することも可能である。
【００２３】
前記で、網部材９０を本体１０の内面に付着して設置する場合には、網形状によって多数の通風空間（製織によって本体１０に形成されるすじ間の孔に比べて大きさの大きい孔）が形成されるので、効果的な通風と湿気除去などの効果がある。
【００２４】
前記網部材９０は、本体１０の前面部１２と後面部１４の全体にかけて設置することも可能であり、前面部１２又は後面部１４にのみ設置することも可能であり、前記本体１０の底面側にのみ設置することも可能である。
【００２５】
前記網部材９０の形状は、本体１０の形状に対応するように形成することも可能であり、本体１０の一部の形状に対応するように形成することも可能である。
【００２６】
前記のように網部材９０を設置するようになれば、女性の陰部や肛門側でも効果的に通風が行われ、皮膚が互いに当接した状態を維持するので、汗が満ちた状態の股ぐら部位（陰茎と陰嚢、陰部、肛門など及びその周辺部位）にも外部空気が循環して除湿作用が行われ、常に乾燥しており清潔な状態を維持することができる。
【００２７】
特に、男性の場合、陰茎と陰嚢に湿気の満ちた状態が維持されると、嚢湿にかかりやすく、陰嚢が高温の状態に維持される場合、生殖機能の低下などが発生する可能性が高い。女性の場合、陰部などがじめじめした状態に維持される場合、各種婦人科疾病が発生する可能性が高い。そして、肛門周囲がじめじめした状態に維持される場合、湿疹や痔などが発生する可能性が高い。
【００２８】
ここで、前記のように網部材９０を設置すれば、皮膚が互いに当接する隠密な部位まで外部空気の循環が行われるので、温度を下げて清々しい感じを持てながら、湿疹などの疾病を予防することが可能になり、男性の場合は生殖機能の向上という効果がある。
【００２９】
そして、本発明による通風機能下着の第２実施例は、図３に示したように、網部材９２を本体１０の前面部１２内面一部にのみ設置する。
【００３０】
前記網部材９２は、円形、楕円形、三角形、四角形、花びら形状、星形状などの多様な形状に形成して設置することも可能であり、本体１０の後面部１４や側面などに部分的に配置して設置することも可能である。
【００３１】
そして、本発明による通風機能下着の第３実施例は、図４に示したように、網部材９４をバンド形状に形成して、前記本体１０の前面部１２と後面部１４中央部にほぼ“Ｕ字”形状を成すように設置する。
【００３２】
前記のように網部材９４を形成して設置すれば、通風が必要な部位にのみ集中して通風性を向上させることが可能であり、材料の節減側面からも有利である。
【００３３】
前記のような本発明による通風機能下着の色々な技術的構成は、男性又は女性用の四角パンティー、三角パンティー、ガードル、パンスト、下着、ランジェリー、オールインワン、ブラジャーなどに多様に適用することが可能である。
【００３４】
そして、本発明による通風機能下着の第４実施例は、図５に示したように、着用者の股ぐら前方を被う前面部１２と後方を被う後面部１４とからなり、前面部１２には、一つ以上の通風孔１６が形成される本体１０と、前記本体１０の上側に設置され、着用者の腰の部分に密着着用して落ちないように支持する腰バンド２０と、前記本体１０の底面（股ぐら）側に設置され、網形状に形成される通気パッド７０とを含んで構成される。
【００３５】
前記通風孔１６は前面部１２にのみ形成することも可能であり、後面部１４にのみ形成することも可能であり、前面部１２と後面部１４に全て形成することも可能である。
【００３６】
前記本体１０には一つ以上の通風孔１６が形成され、男性用の場合、小便時に陰茎を容易に取り出すために形成する小便孔も、平常時には通風機能を果たす通風孔として機能する。したがって、以下では、通風孔１６を、小便孔も含めて通風機能をする本体１０に形成される全ての孔を示す意味に使用する。
【００３７】
前記通風孔１６は、三角形、四角形、五角形などの多角形又は円形、楕円形、トラック形状、ハート形状、星形状、花びら形状、木の葉形状などの多様な形状に形成することが可能である。
【００３８】
前記通風孔１６は特に、外部空気の循環が必要な部位に通風がよく行われるように、股ぐら部位近所に形成するのが望ましい。
【００３９】
前記のように通風孔１６を形成すれば、皮膚が互いに当接した状態を維持するので、汗が満ちた状態の股ぐら部位（陰茎と陰嚢、陰部、肛門など及びその周辺部位）にも外部空気の循環が行われて除湿作用の効果があり、常に乾燥しており清潔な状態を維持することができる。
【００４０】
前記通気パッド７０は、ゴム、シリコン、軟質合成樹脂などで形成することが可能である。
【００４１】
前記通気パッド７０は、図６に示したように、一定の幅（例えば、ほぼ２〜１０ｍｍ程度の幅）で形成される枠組部７２と、前記枠組部７２の内部に網形状に形成される通気部７４とからなる。
【００４２】
前記通気パッド７０は、前記本体１０の内面に別途に付着して設置することも可能であり、前記本体１０の底面を通気パッド７０に代替して設置することも可能である。
【００４３】
前記通気パッド７０の通気部７４としては、網や麻布などのすじが粗く製織された布を使用したり、シリコンや軟質合成樹脂、革ひもなどで網形状に形成して使用し、前記枠組部７２は、布やシリコン、軟質合成樹脂、皮革、人造革などを利用して形成する。
【００４４】
また、前記通気パッド７０をシリコンや軟質合成樹脂などを網形状に形成して使用する
場合には、網や麻布などの布をさらに付着設置することも可能である。
【００４５】
前記で、通気パッド７０を本体１０の内面に付着して設置する場合には、網形状の通気部７４によって多数の通風空間（製織によって本体に形成されるすじ間の孔に比べて大きさの大きい孔）が形成されるので、効果的な通風と湿気除去などが行われる。
【００４６】
前記通気パッド７０は、本体１０の底面側だけでなく、後面部１４側にも設置することが可能である。
【００４７】
前記のように通気パッド７０を設置すれば、女性の陰部や肛門側でも効果的に通風が行われるようになる。
【００４８】
そして、図７に示したように、通気パッド７１の枠組み７２に多数の突起７６を形成することも可能である。
【００４９】
前記のように突起７６を形成すれば、突起７６によって形成される空間を通しても外部との通風が可能になるので、通風性がより向上する。
【００５０】
前記突起７６は、枠組み７２と同一な材質で形成することも可能であり、玉やセラミック、磁石、耐食性の金属又は非金属、形状記憶合金などの多様な材質を使って形成することも可能である。
【００５１】
また、図８に示したように、通気パッド７７を環形状の枠組み７２だけで構成することも可能である。このような通気パッド７７においては、中央部分の全体が一つの通風孔７８を形成するようになる。
【００５２】
前記第４実施例においても、前記構成以外には前記第１実施例と同様な構成で実施することが可能であるので、詳細な説明は省略する。
【００５３】
そして、本発明による通風機能下着の第５実施例は、図９に示したように、通気パッド７０を本体１０の底面側だけでなく、前面部１２にも設置する。
【００５４】
例えば、本体１０の前面部１２に通風孔１６を形成する代わりに、通気パッド７０を設置することも可能である。
【００５５】
前記本体１０の前面部１２に設置する通気パッド７０は、着用者の周り方向に長く形成するのが、通風空間を広く確保することができるので望ましい。
【００５６】
前記通気パッド７０は、本体１０の前面部１２と後面部１４に全て設置することも可能であり、前面部１２又は後面部１４にのみ設置することも可能である。
【００５７】
そして、本発明による通風機能下着の第６実施例は、図１０に示したように、通気パッド７０を本体１０の底面側だけでなく、前面部１２と後面部１４が繋がる側面側にも設置する。
【００５８】
本発明による通風機能下着の第７実施例は、図１１に示したように、通気パッド７０を本体１０の底面側には設置せず、本体１０の前面部１２及び/又は後面部１４にのみ設置する。
【００５９】
そして、本発明による通風機能下着の第８実施例は、図１２に示したように、本体１０の底面側には網形状の通気パッド７０を設置し、本体１０の前面部１２及び/又は後面部１４、側面側には内部が空いた通風孔７８を有する通気パッド７７を設置する。
【００６０】
前記第５実施例乃至第８実施例において、前面部１２には通気パッド７０を設置し、後面部１４には通風孔１６を形成することも可能であり、前面部１２には通風孔１６を形成し、後面部１４には通気パッド７０を設置することも可能である。
【００６１】
前記第５実施例乃至第８実施例においても、前記構成以外には前記第１実施例及び第４実施例と同様な構成で実施することが可能であるので、詳細な説明は省略する。
【００６２】
前記のように構成される通気パッド７０、７７を設置すれば、着用者の陰部や股ぐら側が外部に露出して充分な通風が行われ、湿気が満ちることを根本的に防止することが可能である。
【００６３】
前記のような本発明による通風機能下着の色々な技術的構成は、男性又は女性用の四角パンティー、三角パンティー、ガードル、パンスト、下着、ランジェリー、オールインワン、ブラジャーなどに多様に適用することが可能である。
【００６４】
そして、本発明による通風機能下着の第９実施例は、図１３に示したように、皮膚と通風孔１６の角部を常に一定の間隔で維持できるように、前記本体１０の通風孔１６の角部に間隔維持部材６０を設置する。
【００６５】
前記間隔維持部材６０は、ゴムやシリコン、軟質合成樹脂などを利用して形成する。また、前記間隔維持部材６０は、耐食性に優れたステレンス鋼や形状記憶合金などを利用して形成することも可能である。
【００６６】
そして、前記間隔維持部材６０は、前記本体１０と同一な材質に囲んだ状態で設置することも可能である。
【００６７】
前記のように間隔維持部材６０を設置すれば、通風孔１６の角部が皮膚から離隔した状態が維持され、外部の空気が流通する空間を確保することができる。
【００６８】
前記では間隔維持部材６０を通風孔１６の角部に設置することを例に挙げて説明したが、前記本体１０を三角形状に形成する場合、両足が挿入される脚孔１３の角部に間隔維持部材６０を設置することも可能である。
【００６９】
一般的に、本体１０を三角形状に形成する場合には、脚孔１３の角部を脚に密着すように弾性を付与するので、間隔維持部材６０を設置すれば、より円滑に外部空気の循環が行われる。
【００７０】
前記第９実施例においても、前記構成以外には前記第１実施例及び第４実施例の構成と同様な構成で実施することが可能であるので、詳細な説明は省略する。
そして、本発明による通風機能下着の第１０実施例は、図１４に示したように、本体１０の前面部１２を幅の狭いバンド形状に形成して、脚孔１３が通風孔１６を兼ねるように構成する。
【００７１】
前記本体１０の底面側には通気パッド７０を設置する。
【００７２】
前記で、後面部１４には通風孔１６を形成することも可能である。
【００７３】
また、本発明による通風機能下着の第１１実施例は、図１５に示したように、前記本体１０の前面部１２と後面部１４を、幅の狭いバンド形状に形成して、脚孔１３が通風孔１６を兼ねるように構成する。
【００７４】
そして、本発明による通風機能下着の第１２実施例は、図１６及び図１７に示したように、着用者の股ぐら前方を被う前面部１２と、後方を被う後面部１４とからなり、前面部１２には、一つ以上の通風孔１６が形成される本体１０と、前記本体１０の上側に設置され、着用者の腰の部分に密着着用して落ちないように支持する腰バンド２０と、弾性を有する材質で形成され、中央部分が前記本体１０の内面側で“Ｘ”形状に交差して、陰嚢と陰茎を分離して支持できる構造に形成され、両端が前記通風孔１６を貫いて前記本体１０の外面側へ出た後、腰バンド２０の側に固定される分離支持紐５０とを含んで構成される。
前記分離支持紐５０の両端は、腰バンド２０に固定することも可能であり、本体１０に固定することも可能である。
【００７５】
前記分離支持紐５０の両端は、腰バンド２０に一体に固定設置することも可能であり、両端に、一般的に衣類に多く使用するボタン、スナップボタン、クランプ、ベルクロファスナー、両面テープ、環などを設置して、分離可能であるように設置することも可能である。
【００７６】
前記分離支持紐５０は、全体を螺旋形状に形成することも可能であり、全体を直線形状に形成することも可能であり、全体を直線形状に一定の間隔で玉が通した形状や一定の間隔で突出部がある形状に形成することも可能である。
【００７７】
例えば、前記分離支持紐５０を図１８に示したように、前記本体１０の前面部１２内面に陰嚢や陰茎を掛けられるように、二列を一対にして縦に設置して形成することも可能である。前記分離支持紐５０には、玉が通した形状に間隔調節帯５１が付着される。
【００７８】
前記で、分離支持紐５０を螺旋形状に形成したり、直線形状に玉が通した形状や突出部がある形状に形成すれば、直線形状に比べて、陰嚢と陰茎をより確実に分離して支持することが可能である。
【００７９】
前記分離支持紐５０は、優れた弾性を有したゴムやシリコン、軟質合成樹脂などを利用して形成する。
【００８０】
前記分離支持紐５０は、耐食性に優れたステレンス鋼や形状記憶合金などを利用して形成することも可能であり、この場合には、コイルスプリング形状に形成して弾性力を付与するのが望ましい。
【００８１】
また、前記分離支持紐５０は、図１６及び図１７に示したように、前記通風孔１６を貫いて腰バンド２０に固定される両端５２は直線形状に形成し、“Ｘ”形状に交差して陰嚢と陰茎を分離して支持する中央部分５４は螺旋形状に形成することも可能である。
【００８２】
前記分離支持紐５０において、“Ｘ”形状に交差する中央部分５４の下側水滴形状の空間には陰嚢がかけられて支持され、“Ｘ”形状の上側交差部分には陰茎がかけられて支持される。
【００８３】
前記のように分離支持紐５０を設置すれば、常に密着した状態を維持する陰茎と陰嚢が分離された状態を維持することが可能になるので、湿気が満ちやすい部位の通風がより効果的に行われ、陰嚢を乾燥しており清々しい状態に維持することができる。
【００８４】
特に、陰嚢の場合には、身体の他の部分より低い体温を維持するのが精子の生命力及び活動力を旺盛にする要素であるため、効果的な体温の排出のために多くのシワが形成されているなど、身体の他の部位と構造的に違う姿をしている。
【００８５】
したがって、前記のように分離支持紐５０を設置して陰茎と陰嚢を分離して支持すれば、効果的に陰嚢の温度を低く維持することが可能であるので、生殖能力が大きく増大する効果が得られる。
【００８６】
そして、本発明による通風機能下着の第１３実施例は、図１９及び図２０に示したように、本体１０の前面部１２内面中央側に、横方向に２段で分離支持紐５６を設置する。
【００８７】
前記のように設けられる分離支持紐５６の上段には陰茎がかけられるようにし、下段には陰嚢がかけられるようにする。
【００８８】
前記分離支持紐５６は、耐食性に優れたステレンス鋼や形状記憶合金などを利用して形成することも可能であり、コイルスプリング形状に形成して、弾性力を付与するのが望ましい。
【００８９】
そして、本発明による通風機能下着の第１４実施例は、図２１に示したように、本体１０の前面部１２に多数の通風孔１６を形成し、分離支持紐５６の両端を、両側に位置する通風孔１６を貫いて外部に一回り巻き取った後、一体に連結して設置する。
前記のように分離支持紐５６を設置すれば、本体１０に直接分離支持紐５６の両端を固定することに比べて、設置状態をより確実に維持することができる。
【００９０】
そして、本発明による通風機能下着は、前記第１実施例において、網部材１１を横に１段又は複数の段に設置して陰嚢、陰茎を掛けられるように設置するものとして、分離支持紐５６を代るように構成することも可能である。
【００９１】
前記第１２実施例乃至第１４実施例においても、前記構成以外には前記第１実施例乃至第１１実施例の構成と同様な構成で実施することが可能であるので、詳細な説明は省略する。
【００９２】
そして、本発明による通風機能下着の第１５実施例は、図２２に示したように、前記第４実施例において、本体１０の前面部１２と後面部１４を網形状に形成する。
【００９３】
また、本発明による通風機能下着の第１６実施例は、図２３に示したように、本体１０の底面側には通気パッド７０を設置し、本体１０の前面部１２と後面部１４を網形状に形成する。
【００９４】
前記で、本体１０の前面部１２と後面部１４は、網やすじが粗く製織された布を使用したり、革ひもなどで網形状に形成して使用する。
【００９５】
前記本体１０の前面部１２だけを網形状に形成することも可能であり、後面部１４だけを網形状に形成することも可能である。
【００９６】
前記のように本体１０の前面部１２及び/又は後面部１４を網形状に形成すれば、全体的に通気性が大きく向上する。
【００９７】
前記第１５実施例及び第１６実施例においても、前記構成以外には前記第１実施例乃至第１４実施例の構成と同様な構成で実施することが可能であるので、詳細な説明は省略する。
【００９８】
そして、本発明による通風機能下着の第１７実施例は、図２４に示したように、前記第１０実施例において、本体１０の前面部１２と後面部１４を網形状に形成し、前面部１２の内面に分離支持紐５０を設置する。
【００９９】
前記本体１０の前面部１２に分離支持紐５０を設置し、通気性を向上させるために、複数の通風孔１６を形成するのが望ましい。
【０１００】
そして、本発明による通風機能下着の第１８実施例は、図２５に示したように、本体１０の前面部１２と後面部１４を幅の狭いバンド形状に形成して、脚孔１３が通風孔１６を兼ねるように構成し、前記本体１０の前面部１２と後面部１４に、内部が空いた通風孔７８が形成される通気パッド７７を設置する。
【０１０１】
そして、本発明による通風機能下着の第１９実施例は、図２６及び図２７に示したように、使用者の陰茎と陰嚢を分離して支持できるように、網形状の網部材９５を前記本体１０の前面部１２内面の側に設置する。
【０１０２】
前記網部材９５は、前記本体１０の前面部１２に角部の全部又は一部が固定設置され、陰茎が挿入される分離孔９８が形成される固定網９７と、前記固定網９７に上側が開放されるように、ポケット形状に角部が固定される陰嚢分離網９６とからなる。
【０１０３】
前記固定網９７と陰嚢分離網９６は、円形、半円形、楕円形、四角形、ハート型、花形状、三日月形状などの多様な形状に形成することができる。
【０１０４】
前記陰嚢分離網９６と固定網９７は、上側角部を除いて、両側の角部が返し縫などによって固定され、陰嚢が入れられた場合、脚の皮膚と陰嚢が離隔した状態が維持されて通気が円滑に行われるように、ポケット形状に形成する。
【０１０５】
前記陰嚢分離網９６と固定網９７は、返し縫以外にも、ボタン、スナップボタン、クランプ、環、ベルクロファスナーなどを利用して固定することも可能である。
【０１０６】
前記固定網９７の上側角部は、腰バンド２０に返し縫などで固定されて、陰茎が分離孔９８にかけられた場合に垂れることを防止する。
【０１０７】
前記陰嚢分離網９６にはかけひも９９が設置され、前記腰バンド２０には、前記かけひも９９がかけられるボタン２９が設けられる。前記のようにかけひも９９をボタン２９にかけて支持することによって、陰嚢分離網９６に陰嚢がかけられた場合の垂れることを防止することができる。
【０１０８】
前記固定網９７は、両側の角部及び/又は下側の角部を前記本体１０の前面部１２に返し縫、ボタン、スナップボタン、クランプ、環、ベルクロファスナーなどによって固定することもできる。
【０１０９】
前記本体１０の前面部１２には、小便時に陰茎を容易に取り出せるように小便孔１５を形成する。
【０１１０】
前記本体１０の後面部１４には、横方向に長く通風孔１６を形成する。前記のように通風孔１６を形成すれば、本体１０の後面部１４が肛門側へ部分的に挿入されることを防止する効果も得られる。
【０１１１】
前記のように構成される第１９実施例において、使用者が腰バンド２０を両手で掴んで脚孔１３に脚を入れて着るようになれば、自然に陰嚢が陰嚢分離網９６と固定網９７との間に入れられ、陰茎を固定網９７の分離孔９８に挿入することによって、陰嚢と陰茎も分離して位置するようになる。使用者はかけひも９９をボタン２９にかけることによって着る動作を完了する。
【０１１２】
本発明による通風機能下着の第２０実施例は、図２８及び図２９に示したように、網部材９６の陰嚢分離網９６を、前記本体１０の前面部１２に上側の角部を除いて固定し、分離孔９８が形成される固定網９７を腰バンド２０に支持するように行われる。
【０１１３】
前記固定網９７は、上側角部を前記腰バンド２０に、返し縫、ボタン、スナップボタン、
クランプ、環、ベルクロファスナーなどによって固定する。
【０１１４】
前記で、固定網９７の他の角部は、前記本体１０の前面部１２に直接固定しないことも可能であり、一部又は角部全体を前記本体１０の前面部１２に、返し縫、ボタン、スナップボタン、クランプ、環、ベルクロファスナーなどによって固定することも可能である。
【０１１５】
前記固定網９７は、かけひも９９を利用して、腰バンド２０に設けられるボタン２９にかけることによって支持することも可能である。
【０１１６】
この時、かけひも９９は、固定網９７に両端が固定され、腰バンド２０に設けられたボタン２９にかけられて支持される。
【０１１７】
前記陰嚢分離網９６は、両角部を逆“コ”形状に長く延長して、前記腰バンド２０に、返し縫、ボタン、スナップボタン、環、クランプ、ベルクロファスナーなどによって固定することも可能である。このように陰嚢分離網９６を形成して固定すれば、陰嚢がかけられた場合にもその垂れることを効果的に防止することができる。
【０１１８】
前記で、陰嚢分離網９６は、逆“コ”形状を三つの部分に分けて製作し、これらの片を返し縫、ボタン、スナップボタン、環、クランプ、ベルクロファスナーなどによって互いに連結固定することも可能である。
【０１１９】
前記第２０実施例においても、固定網９７の大きさを小さく形成して、陰嚢分離網９６と分離して設置する構成以外には前記第１９実施例と同様な構成で実施することが可能であるので、詳細な説明は省略する。
【０１２０】
前記第９実施例と第２０実施例において、かけひも２９の代わりにバンド形状部材を使用し、ボタン２９の代わりにスナップボタン、クランプ、環、ベルクロファスナーなどを使って、同一な機能を実現することも可能である。
【０１２１】
そして、前記第１実施例と第１８実施例において、固定網９７と陰嚢分離網９６が設けられるの部分の前記本体１０の前面部１２の一部を除去することも可能である。前記のように本体１０の前面部１２の一部を除去すれば、通風効果が大きく向上する。
【０１２２】
本発明による通風機能下着は、前記第１実施例乃至第１８実施例の色々な構成の中で一つ以上を選択して、多様に組み合わせて実施することも可能である。
【０１２３】
そして、本発明による通風機能下着は、前記第１実施例乃至第２０実施例の色々な構成の中で一つ以上を選択して、従来の多様な下着（三角パンティー、四角パンティー、ガードルなど）に追加的に設置して実施することも可能である。例えば、市中で販売される多様な下着に、前記通気パッド７０、７７及び/又は分離支持紐５０、５６などを設置することも可能である。
【０１２４】
前記で、通風孔１６を本体１０に設置しない場合には、分離支持紐５０の両端は、本体１０の内面又は腰バンド２０の内面に固定設置するように構成する。
【産業上の利用性】
【０１２５】
本発明による通風機能下着によれば、弾性を有する分離支持紐を設置するので、男性の場合、陰茎と陰嚢を分離して支持することが可能であり、通風孔のみを設置する場合には行われない陰茎と陰嚢の間及び両足と陰嚢の間の空間にも効果的に通気が行われるので、嚢湿を予防することが可能である。
【０１２６】
また、本発明による通風機能下着によれば、底面側に通気パッドを設置するので、肛門及び女性の陰部側にも効果的に通気が行われる。
【０１２７】
本発明による通風機能下着によれば、通風孔の角部に螺旋形の間隔維持部材を設置するので、通気性これより向上し、外気が充分に流入循環する。
【０１２８】
そして、本発明による通風機能下着によれば、網部材を設置したり本体を網部材で形成することによって、全体的な通風性を向上させることが可能である。
【０１２９】
また、本発明による通風機能下着によれば、本体を幅の狭いバンド形状に形成するので、最小限の部分だけを被うようになり、充分な通風効果を得ることができる。
【０１３０】
前記では本発明による通風機能下着の望ましい実施例について説明したが、本発明はこれに限定されるものではなく、特許請求の範囲と発明の詳細な説明及び添付した図面の範囲内でいろいろな変形及び実施が可能であり、これもまた本発明の範囲に属する。
【図１】
2008530383.tif 000003
【図２】
2008530383.tif 000004
【図３】
2008530383.tif 000005
【図４】
2008530383.tif 000006
【図５】
2008530383.tif 000007
【図６】
2008530383.tif 000008
【図７】
2008530383.tif 000009
【図８】
2008530383.tif 000010
【図９】
2008530383.tif 000011
【図１０】
2008530383.tif 000012
【図１１】
2008530383.tif 000013
【図１２】
2008530383.tif 000014
【図１３】
2008530383.tif 000015
【図１４】
2008530383.tif 000016
【図１５】
2008530383.tif 000017
【図１６】
2008530383.tif 000018
【図１７】
2008530383.tif 000019
【図１８】
2008530383.tif 000020
【図１９】
2008530383.tif 000021
【図２０】
2008530383.tif 000022
【図２１】
2008530383.tif 000023
【図２２】
2008530383.tif 000024
【図２３】
2008530383.tif 000025
【図２４】
2008530383.tif 000026
【図２５】
2008530383.tif 000027
【図２６】
2008530383.tif 000028
【図２７】
2008530383.tif 000029
【図２８】
2008530383.tif 000030
【図２９】
2008530383.tif 000031
【国際調査報告】
2008530383.tif 000032
2008530383.tif 000033